(57)【要約】【課題】低コストで、呼出信号を発信した呼出者に、呼出信号が管理者側に受信された旨を伝えることができる呼出装置を提供する。【解決手段】本発明の呼出装置１は、呼出者によって発信された呼出信号を特定の位置において受信する受信手段１０と、呼出信号を受信した場合に特定の位置に対する放送起動信号を放送装置１３に出力する制御手段１１と、呼出信号を受信した場合に特定の位置に対するメッセージ信号を放送装置１３に出力するメッセージ手段１２とを具備する。【選択図】    図１
2005033539.tif 000002
【特許請求の範囲】
【請求項１】
呼出者によって発信された呼出信号を特定の位置において受信する受信手段と、
前記呼出信号を受信した場合に、前記特定の位置に対する放送起動信号を放送装置に出力する制御手段と、
前記呼出信号を受信した場合に、前記特定の位置に対するメッセージ信号を放送装置に出力するメッセージ手段と
を具備することを特徴とする呼出装置。
【請求項２】
呼出者によって発信された発信側ＩＤ付きの呼出信号を受信する受信手段と、
前記呼出信号を受信した場合に、放送起動信号を放送装置に出力する制御手段と、
前記呼出信号を受信した場合に、前記発信側ＩＤを解読する解読手段と、
前記発信側ＩＤに対応するメッセージ信号を作成し、前記メッセージ信号を前記放送装置に出力するメッセージ選択手段と
を具備することを特徴とする呼出装置。
【発明の詳細な説明】
【０００１】
【発明の属する技術分野】
本発明は、例えば医療機関などで用いられる呼出装置に関する。
【０００２】
【従来の技術】
例えば医療機関や老人ホーム、介護施設などに備えられている従来の呼出装置においては、呼出信号の送受信に無線が用いられる場合がある。
【０００３】
特開平１０−１１７３６６号公報（特許文献１）において高齢者用無線呼び出し装置が開示されている。この特許文献１において、管理者の送信機と老人の持つ高齢者用無線呼び出し装置とは、それぞれ送信部と受信部とを具備し、送受機能を持つ。以下にこの高齢者用無線呼び出し装置の適用例について説明する。
【０００４】
高齢者に異常が生じた場合、高齢者は携帯している高齢者用無線呼び出し装置の押しボタンスイッチを押す。すると、高齢者用無線呼び出し装置は、高齢者のＩＤ信号を発信する。管理者の送信機は、高齢者用無線呼び出し装置から発信されたＩＤ信号を受信する。
【０００５】
管理者の送信機は、受信したＩＤ信号をさらに高齢者用無線呼び出し装置に送り返す。高齢者用無線呼び出し装置は、送り返されたＩＤ信号を受信し、識別し、音と光を出力する。
【０００６】
これにより、異常の生じた高齢者の携帯する高齢者用無線呼び出し装置側で、管理者に異常通知済みであることが検知できる。
【０００７】
【特許文献１】
特開平１０−１１７３６６号公報
【０００８】
【発明が解決しようとする課題】
上記の管理者の送信機と高齢者用無線呼び出し装置は、通信において双方向性を持つ必要があり、送信部及び受信部を具備する。このため、導入においてコストが高くなる場合がある。
【０００９】
本発明は、以上のような実情に鑑みてなされたもので、管理者側に呼出信号が受信された旨を呼出者側に通知する呼出装置を低コストで提供することを目的とする。
【００１０】
【課題を解決するための手段】
本発明を実現するにあたって講じた具体的手段について以下に説明する。
【００１１】
第１の発明の呼出装置における受信手段は、呼出者によって発信された呼出信号を特定の位置において受信する。制御手段は、呼出信号を受信した場合に、特定の位置に対する放送起動信号を放送装置に出力する。メッセージ手段は、呼出信号を受信した場合に、特定の位置に対するメッセージ信号を放送装置に出力する。
【００１２】
第２の発明の呼出装置における受信手段は、呼出者によって発信された発信側ＩＤ付きの呼出信号を受信する。制御手段は、呼出信号を受信した場合に、放送起動信号を放送装置に出力する。解読手段は、呼出信号を受信した場合に、発信側ＩＤを解読する。メッセージ手段は、発信側ＩＤに対応するメッセージ信号を作成し、メッセージ信号を前記放送装置に出力する。
【００１３】
これにより、呼出信号を発信した呼出者に、呼出信号が管理者側に受信されたことを伝えるための放送を行うことができる。
【００１４】
【発明の実施の形態】
以下、図面を参照しながら本発明の実施の形態について説明する。なお、以下の説明において同一の要素については同一の符号を付してその説明を省略する。
【００１５】
（第１の実施の形態）
本実施の形態においては、呼出者の携帯する送信機と、この送信機から送信された呼出信号を受信する受信機が双方向性の通信機能を具備しなくても、送信機から受信機に呼出信号が送信された後、呼出信号が管理者側に受信された旨を呼出者側に通知可能な呼出装置について説明する。
【００１６】
図１は、本実施の形態に係る呼出装置の構成の一例を示すブロック図である。
【００１７】
本実施の形態に係る呼出装置１は、複数の携帯型の送信機２１〜２ｍと複数の受信機３１〜３ｎとを具備するが、送信機及び受信機はどちらも一以上であればよい。ある送信機からある受信機への信号の送受信は無線により行われる。呼出装置１は微弱電波対応のシステムである。
【００１８】
各受信機３１〜３ｎは、施設内において適切な間隔を維持してそれぞれの特定の位置に設置される。ある送信機から呼出信号が発信された場合、この呼出信号は最寄りの受信機のみに受信され、呼出信号を発信した送信機から遠い他の受信機には、電波が到達しないとする。
【００１９】
以下においては、送信機２１から呼出信号が発信され、呼出信号発信時の送信機２１に対する最寄りの受信機が受信機３１の場合を例に説明するが、他の送信機２２〜２ｍ及び他の受信機３２〜３ｎについても同様である。
【００２０】
送信機２１は、呼出ボタン４と送信部５と送信アンテナ６を具備する。送信機２１では、呼出ボタン４が押されると送信部５が動作し、呼出信号が送信アンテナ６から発信される。
【００２１】
受信機３１は、出力端子である放送起動端子７及びメッセージ信号端子８、受信アンテナ９、受信部１０、制御部１１、メッセージ部１２を具備する。
【００２２】
放送起動端子７とメッセージ信号端子８とは、業務用として使用される一般用放送装置１３と接続される。受信機３１は、送信機２１から呼出信号を受信した場合、放送装置１３を起動させるための放送起動信号を放送起動端子７から放送装置１３に出力するとともに、メッセージ信号をメッセージ信号端子８から放送装置１３に出力する。
【００２３】
受信部１０は、受信アンテナ９を用いて呼出信号を受信し、受信した呼出信号を制御部１１に出力する。
【００２４】
制御部１１は、受信部１０から呼出信号を受信すると、放送起動端子７経由で放送起動信号を放送装置１３に出力するとともに、メッセージ部１２を起動する。
【００２５】
メッセージ部１２は、管理者側に呼出信号が受信された旨を呼出者側に知らせるために記録されているメッセージ信号を、メッセージ信号端子８経由で放送装置１３に出力する。メッセージ部１２に記録されているメッセージ信号は、受信機３１〜３ｎ毎に設定される。例えば、トイレ近くに設置される受信機のメッセージ部１２に記録されるメッセージ信号は、「トイレから呼出がありました。すぐうかがいます」とするなど、受信機３１〜３ｎの設置位置に応じてメッセージ信号を変化させる。
【００２６】
放送装置１３の個別放送起動端子１４１〜１４ｎは、それぞれ受信機３１〜３ｎの放送起動端子７と接続される。また、放送装置１３の個別メッセージ端子１５１〜１５ｎは、それぞれ受信機３１〜３ｎのメッセージ信号端子８と接続される。
【００２７】
放送装置１３は、個別放送起動端子１４１において、受信機３１の放送起動端子７から放送起動信号を受信すると、放送装置１３内部の放送アンプ（図示せず）を起動する。
【００２８】
また、放送装置１３は、個別メッセージ信号端子１５１において、受信機３１のメッセージ信号端子８からメッセージ信号を受信すると、受信したメッセージ信号を放送装置１３の放送アンプによって増幅し、増幅されたメッセージ信号を個別放送起動端子１４１経由で外部のスピーカ１６１に出力する。なお、スピーカ１６１〜１６ｎは、各受信機３１〜３ｎに対応付けされている。本実施の形態では、スピーカ１６１〜１６ｎは、各受信機３１〜３ｎの設置位置にそれぞれ備えられているとする。
【００２９】
送信機２１側の呼出者は、スピーカ１６１から出力されたメッセージを聞き、自己の呼出が管理者に通知されたことを認識できる。
【００３０】
図２は、本実施の形態に係る送信機２１の動作例を示すフローチャートである。
【００３１】
ステップＳ１において、送信機２１の呼出ボタン４は、異常の発生した呼出者によって押される。
【００３２】
ステップＳ２において、送信部５は、送信アンテナ６を用いて呼出信号を発信する。
【００３３】
図３は、本実施の形態に係る受信機３１の動作例を示すフローチャートである。
【００３４】
ステップＴ１において、呼出信号を発信した送信機２１に対する最寄りの受信機３１の受信部１０は、受信アンテナ９を用いて呼出信号を受信する。
【００３５】
ステップＴ２において、制御部１１は、放送起動端子７経由で放送装置１３に放送起動信号を出力するとともに、メッセージ部１２を起動する。
【００３６】
ステップＴ３において、メッセージ部１２は、メッセージ信号をメッセージ信号端子８経由で放送装置１３に出力する。
【００３７】
図４は、本実施の形態に係る放送装置１３の動作例を示すフローチャートである。
【００３８】
ステップＵ１において、放送装置１３は、個別放送起動端子１４１から放送起動信号を入力する。
【００３９】
ステップＵ２において、放送装置１３は、放送アンプを起動する。
【００４０】
ステップＵ３において、放送装置１３は、個別メッセージ信号端子１５１からメッセージ信号を入力する。
【００４１】
ステップＵ４において、放送装置１３は、放送アンプによってメッセージ信号を増幅する。
【００４２】
ステップＵ５において、放送装置１３は、個別放送起動端子１４１からスピーカ１６１に増幅されたメッセージ信号を出力する。
【００４３】
以上説明した本実施の形態に係る呼出装置１では、施設内の適所に複数の受信機３１〜３ｎが設置される。各受信機３１〜３ｎは、固有の回線で放送装置１３と接続される。
【００４４】
そして、受信機３１〜３ｎとスピーカ１６１〜１６ｎの設置位置とが対応付けされており、呼出信号を受信した受信機に対応するスピーカからメッセージが出力される。
【００４５】
本実施の形態では、送信機２１〜２ｍ及び受信機３１〜３ｎが双方向性の無線通信機能を備えていないにもかかわらず、呼出者は、自己の携帯する送信機による呼出後に、放送により自己の呼出が管理者に伝わっていることを知ることができる。呼出者は、呼出に対するメッセージを聞き、安心して管理者の到着又は措置を待つことができる。
【００４６】
また、本実施の形態に係る呼出装置１は、送信機２１〜２ｍと受信機３１〜３ｎとに双方向の通信機能を備える必要がないため、低コストで構築でき、導入容易である。
【００４７】
（第２の実施の形態）
本実施の形態においては、上記第１の実施の形態の変形例について説明する。
【００４８】
図５は、本実施の形態に係る呼出装置の構成の一例を示すブロック図である。
【００４９】
本実施の形態に係る呼出装置４０は、複数の携帯型の送信機４１１〜４１ｍと受信機４２とを具備するが、送信機は一以上であればよい。
【００５０】
各送信機４１１〜４１ｍから受信機４２への信号の送受信は無線により行われる。呼出装置４０は微弱電波対応のシステムである。
【００５１】
以下においては、送信機４１１から呼出信号が発信された場合を例に説明するが、他の送信機４１２〜４１ｍについても同様である。
【００５２】
送信機４１１は、呼出ボタン４、送信部４３、ＩＤ設定部４４、送信アンテナ６を具備する。
【００５３】
ＩＤ設定部４４には、この送信機固有のＩＤが設定されている。すなわち、複数の送信機４１１〜４１ｍの各ＩＤ設定部４４には、異なるＩＤが設定されている。
【００５４】
送信機４１１では、呼出ボタン４が押されると送信部４３が動作する。送信部４３は、ＩＤ設定部４４のＩＤを読み出し、呼出信号にＩＤを付して送信アンテナ６を用いて発信する。
【００５５】
受信機４２は、出力端子である放送起動端子４５及びメッセージ信号端子４６、受信アンテナ９、受信部４７、制御部４８、ＩＤ解読部４９、記録部５０、メッセージ選択部５１を具備する。
【００５６】
放送起動端子４５とメッセージ信号端子４６とは、放送装置１３と接続される。
【００５７】
受信部４７は、受信アンテナ９を用いて送信機４１１から発信されたＩＤ付き呼出信号を受信し、受信したＩＤ付き呼出信号を制御部４８とＩＤ解読部４９に出力する。
【００５８】
制御部１１は、受信部４７からＩＤ付き呼出信号を入力すると、放送起動端子４５経由で放送起動信号を放送装置１３に出力する。
【００５９】
ＩＤ解読部４９は、受信部４７からＩＤ付き呼出信号を入力すると、ＩＤ付き呼出信号からＩＤを取り出し、このＩＤを名前用アドレス番号とメッセージ用アドレス番号に変換し、名前用アドレス番号とメッセージ用アドレス番号をメッセージ選択部５１に出力する。ＩＤから名前用アドレス番号への変換及びＩＤからメッセージ用アドレス番号への変換は、例えば変換テーブルなどを用いて行われる。
【００６０】
記録部５０は、名前用アドレス番号と名前とを対応付けた名前データ５０ａを記録するとともに、メッセージ用アドレス番号とメッセージとを対応付けたメッセージデータ５０ｂを記録する。
【００６１】
メッセージ選択部５１は、ＩＤ解読部４９から名前用アドレス番号とメッセージ用アドレス番号とを入力すると、名前データ５０ａに基づいて名前用アドレス番号に対応する名前を取得し、メッセージデータ５０ｂに基づいてメッセージ用アドレス番号に対応するメッセージを取得し、取得した名前とメッセージとを合成したメッセージ信号を作成する。
【００６２】
そして、メッセージ選択部５１は、合成したメッセージ信号をメッセージ信号端子４６経由で放送装置１３に出力する。
【００６３】
放送装置１３は、一斉放送起動端子５２において、受信機４２の放送起動端子４５から放送起動信号を受信すると、放送装置１３内部の放送アンプ（図示せず）を起動する。
【００６４】
放送装置１３は、一斉メッセージ信号端子５３において、受信機４２のメッセージ信号端子４６からメッセージ信号を受信すると、メッセージ信号を放送アンプによって増幅し、一斉放送起動端子５２から外部のスピーカ１６１〜１６ｎに出力する。
【００６５】
送信機４１１側の呼出者は、スピーカ１６１〜１６ｎのいずれかから出力されたメッセージを聞き、自己の呼出が管理者に通知されたことを認識できる。
【００６６】
図６は、記録部５０に記録されている名前データ５０ａの一例を示す図である。
【００６７】
名前データ５０ａでは、名前用アドレス番号に対して送信機を携帯する人の名前が関係付けされている。例えばアドレス番号「Ａ」に対して、「一号室のＡ」という名前が関係付けされている。このように、名前データ５０ａの名前に居室、病室などの情報を含めておくことで、放送を聞いた管理者の認識できる内容を充実させることができ、便利性が向上する。
【００６８】
図７は、記録部５０に記録されているメッセージデータ５０ｂの一例を示す図である。
【００６９】
例えば、メッセージデータ５０ｂでは、メッセージ用アドレス番号「ＡＡ」に対してメッセージ「…さんから呼び出しがありました。至急うかがいます」が関係付けされている。
【００７０】
メッセージ選択部５１は、名前用アドレス番号「Ａ」を入力すると、名前用アドレス番号「Ａ」に対する名前「一号室のＡ」を記録部５０から読み出す。また、メッセージ選択部５１は、メッセージ用アドレス番号「ＡＡ」を入力すると、メッセージ用アドレス番号「ＡＡ」に対するメッセージ「…さんから呼出がありました。至急うかがいます」を記録部５０から読み出す。
【００７１】
そして、メッセージ選択部５１は、読み出された名前とメッセージとを合成し、メッセージ信号「一号室のＡさんから呼出がありました。至急うかがいます」を放送装置１３に出力する。
【００７２】
なお、名前データ５０ａ及びメッセージデータ５０ｂのみではなく、その他様々な内容のデータを記録部５０に記録し、メッセージ選択部５１が必要に応じてデータを組み合わせることで、実際の使用現場に応じたメッセージ信号を作成することができる。
【００７３】
図８は、本実施の形態に係る送信機４１１の動作例を示すフローチャートである。
【００７４】
ステップＶ１において、送信機４１１の呼出ボタン４は、異常の発生した呼出者によって押される。
【００７５】
ステップＶ２において、送信部５は、ＩＤ設定部４４に設定されているＩＤを取得する。
【００７６】
ステップＶ３において、送信部５は、呼出信号にＩＤを付加する。
【００７７】
ステップＶ４において、送信部５は、送信アンテナ６を用いてＩＤ付き呼出信号を発信する。
【００７８】
図９は、本実施の形態に係る受信機４２の動作例を示すフローチャートである。
【００７９】
ステップＷ１において、受信機４２の受信部４７は、受信アンテナ９を用いてＩＤ付き呼出信号を受信する。
【００８０】
ステップＷ２において、制御部４８は、放送起動端子４５経由で放送装置１３に放送起動信号を出力する。
【００８１】
ステップＷ３において、ＩＤ解読部４９は、ＩＤ付き呼出信号からＩＤを認識し、ＩＤを名前用アドレス番号とメッセージ用アドレス番号に変換する。
【００８２】
ステップＷ４において、メッセージ選択部５１は、名前用アドレス番号に対応する名前とメッセージ用アドレス番号に対応するメッセージとを記録部５０から読み出す。
【００８３】
ステップＷ５において、メッセージ選択部５１は、読み出した名前とメッセージとを合成し、メッセージ信号を作成する。
【００８４】
ステップＷ６において、メッセージ選択部５１は、メッセージ信号をメッセージ信号端子４６経由で放送装置１３に出力する。
【００８５】
なお、上記ステップＷ２は、上記ステップＷ１〜Ｗ６の間であればいずれの時点で実行されてもよい。
【００８６】
本実施の形態に係る放送装置１３の動作は、上記図４の場合と同様である。しかしながら、放送装置１３は、受信機４２から出力されたメッセージ信号を一斉放送起動端子５２から入力し、メッセージ信号を一斉メッセージ信号端子５３から入力し、増幅されたメッセージ信号を一斉放送起動端子５２からスピーカ１６１〜１６ｎに出力する点が異なる。
【００８７】
以上説明した本実施の形態に係る呼出装置４０において、受信機４２の放送起動端子４５は、放送装置１３の一斉放送起動端子５２に接続される。
【００８８】
また、受信機４２のメッセージ信号端子４６は、放送装置１３の一斉メッセージ信号端子５３に接続される。
【００８９】
この結果、送信機４１１を携帯する呼出者が、送信機４１１の呼出ボタン４を押すと、放送装置１３の一斉放送起動端子５２に放送起動信号が入力され、放送装置１３の一斉放送回路（図示せず）が起動される。そして、一斉メッセージ信号端子５３にメッセージ信号が入力され、メッセージ信号が放送アンプで増幅された後、スピーカ１６１〜１６ｎから一斉出力される。
【００９０】
これにより、呼出者は、例えば「一号室のＡさんから呼び出しがありました。至急うかがいます」という自身の呼出に対する応答を聞くことができる。
【００９１】
また、本実施の形態では、メッセージが一斉放送されるため、管理者は、施設内のいずれの場所にいても、放送を聞くことができ、早急に呼出者の居場所に行き、所要の措置を講ずることができる。
【００９２】
なお、上記各実施の形態において、呼出装置に具備される各構成要素は、同様の動作を実現可能であれば配置を変更させてもよく、また各構成要素を自由に組み合わせてもよく、各構成要素を自由に分割してもよく、いくつかの構成要素を削除してもよい。
【００９３】
すなわち、本発明は、上記実施形態そのままに限定されるものではなく、実施段階ではその要旨を逸脱しない範囲で構成要素を変形して具体化できる。
【００９４】
【発明の効果】
以上詳記したように本発明においては、低コストの装置で、呼出信号を発信した呼出者に、呼出信号が管理者側に受信された旨を伝えることができる。
【図面の簡単な説明】
【図１】本発明の第１の実施の形態に係る呼出装置の構成の一例を示すブロック図。
【図２】同実施の形態に係る送信機の動作例を示すフローチャート。
【図３】同実施の形態に係る受信機の動作例を示すフローチャート。
【図４】同実施の形態に係る放送装置の動作例を示すフローチャート。
【図５】本発明の第２の実施の形態に係る呼出装置の構成の一例を示すブロック図。
【図６】名前データの一例を示す図。
【図７】メッセージデータの一例を示す図。
【図８】同実施の形態に係る送信機の動作例を示すフローチャート。
【図９】同実施の形態に係る受信機の動作例を示すフローチャート。
【符号の説明】
１，４０…呼出装置、２１〜２ｍ，４１１〜４１ｍ…送信機、３１〜３ｎ，４２…受信機、４…呼出ボタン、５，４３…送信部、６…送信アンテナ、７，４５…放送起動端子、８，５３…メッセージ信号端子、９…受信アンテナ、１０，４７…受信部、１１，４８…制御部、１２…メッセージ部、１３…放送装置、１４１〜１４ｎ…個別起動端子、１５１〜１５ｎ…個別メッセージ端子、１６１〜１６ｎ…スピーカ、４４…ＩＤ設定部、４９…ＩＤ解読部、５０…記録部、５０ａ…名前データ、５０ｂ…メッセージデータ、５１…メッセージ選択部、５２…一斉放送起動端子、５３…一斉メッセージ信号端子
【図１】
2005033539.tif 000003
【図２】
2005033539.tif 000004
【図３】
2005033539.tif 000005
【図４】
2005033539.tif 000006
【図５】
2005033539.tif 000007
【図６】
2005033539.tif 000008
【図７】
2005033539.tif 000009
【図８】
2005033539.tif 000010
【図９】
2005033539.tif 000011